(57)【特許請求の範囲】
【請求項１】
保持装置（１８）と、アーム（２２）と、肩当接要素（２０）とを含む楽器用肩サポートであって、
前記保持装置（１８）によって前記肩サポートが前記楽器に固定可能である又は固定され、
前記アーム（２２）が、前記保持装置（１８）に固定可能である又は固定され、
前記肩当接要素（２０）が、前記アーム（２２）に固定可能である又は固定される、
楽器用肩サポートにおいて、
前記アーム（２２）が、前記保持装置（１８）上で第１継手装置（１１６）によって保持される、及び、前記肩当接要素（２０）が、前記アーム（２２）上で第２継手装置（１２０）によって保持され、
前記第１継手装置（１１６）が第１固定装置（１４２）に関連付けられ、前記第１固定装置（１４２）によって前記アーム（２２）と前記保持装置（１８）との間の相対位置が設定可能であり、
前記第２継手装置（１２０）が第２固定装置（１９０）に関連付けられ、前記第２固定装置（１９０）によって前記肩当接要素（２０）と前記アーム（２２）との間の相対位置が設定可能であり、
前記第１継手装置（１１６）の一部が、前記アーム（２２）を前記保持装置（１８）上で解放可能に固定するための固定要素（１２６）として構成される、及び、前記第２継手装置（１２０）の一部が、前記肩当接要素（２０）を前記アーム（２２）上で解放可能に固定するための固定要素（１８６）として構成され、
前記第１継手装置（１１６）及び前記第２継手装置（１２０）が継手ソケット（１２２；１８８）及び継手本体（１２４；１８４）を含み、前記継手本体（１２４；１８４）が前記継手ソケット（１２２；１８８）内で移動可能である、
楽器用肩サポート。
【請求項２】
請求項１に記載の肩サポートであって、前記第１継手装置（１１６）及び／又は前記第２継手装置（１２０）が玉継手装置として構成されること、を特徴とする肩サポート。
【請求項３】
請求項１に記載の肩サポートであって、前記継手ソケット（１２２；１８８）が凹球の形状を有し、前記継手本体（１２４；１８４）が凸球の設計を有すること、を特徴とする肩サポート。
【請求項４】
請求項１に記載の肩サポートであって、前記継手ソケット（１２２；１８８）が前記肩当接要素（２０）上に配置され、前記継手本体（１２４；１８４）が前記保持装置（１８）上に配置されること、を特徴とする肩サポート。
【請求項５】
請求項１に記載の肩サポートであって、前記第１固定装置（１４２）及び／又は前記第２固定装置（１９０）が締付装置として構成され、前記締付装置によって前記継手本体（１２４；１８４）と前記継手ソケット（１２２；１８８）とが互いに締付可能であること、を特徴とする肩サポート。
【請求項６】
請求項４又は５に記載の肩サポートであって、第１要素（１２８；１２８’）及び第２要素（１３６；１３６’）、ここで、前記第１要素（１２８；１２８’）は前記肩当接要素（２０）の外側に当接し、前記肩当接要素（２０）は前記継手ソケット（１１２;１８８）に対向し、前記第２要素（１３６；１３６’）は前記保持装置（１８）の外側に当接し、前記保持装置（１８）は前記継手本体（１２４;１８４）に対向し、前記第１要素（１２８；１２８’）と前記第２要素（１３６；１３６’）とが互いに接続されること、を特徴とする肩サポート。
【請求項７】
請求項６に記載の肩サポートであって、前記第１要素及び前記第２要素のうち、一方の要素が接触ヘッド（１３０；１３０’）を備えたねじ（１２８；１２８’）であり、他方の要素が接触ナット（１３４；１３４’）であり、前記接触ナット（１３４；１３４’）上を前記ねじ（１２８；１２８’）が案内されること、を特徴とする肩サポート。
【請求項８】
請求項４〜７のいずれか１項に記載の肩サポートであって、前記第１継手装置（１１６）について、一方の装置が前記アーム（２２）又は前記保持装置（１８）であり、他方の装置が、前記アーム（２２）を前記保持装置（１８）上で解放可能に固定するための固定要素（１２６）であること、を特徴とする肩サポート。
【請求項９】
請求項４〜８のいずれか１項に記載の肩サポートであって、前記第２継手装置（１２０）について、一方の装置が前記アーム（２２）又は前記肩当接要素（２０）であり、他方の装置が、前記肩当接要素（２０）を前記アーム（２２）上で解放可能に固定するための固定要素（１８６）であること、を特徴とする肩サポート。
【請求項１０】
請求項１〜９のいずれか１項に記載の肩サポートであって、前記第１継手装置（１１６）及び／又は前記第２継手装置（１２０）が前記アーム（２２）上に配置されること、を特徴とする肩サポート。
【請求項１１】
請求項１０に記載の肩サポートであって、前記第１継手装置（１１６）及び前記第２継手装置（１２０）が前記アーム（２２）の両側に配置されること、を特徴とする肩サポート。
【請求項１２】
請求項１〜１１のいずれか１項に記載の肩サポートであって、前記保持装置（１８）又は前記アーム（２２）のいずれかが開口（８２）を有し、前記開口（８２）に前記アーム（２２）又は前記保持装置（１８）の固定要素（１２６）が挿入可能である又は挿入されること、を特徴とする肩サポート。
【請求項１３】
請求項１〜１２のいずれか１項に記載の肩サポートであって、前記肩当接要素（２０）又は前記アーム（２２）のいずれかが開口（１０４）を有し、前記アーム又は前記肩当接要素（２０）の固定要素（１８６）が挿入可能である又は挿入されること、を特徴とする肩サポート。
【請求項１４】
請求項１２又は１３に記載の肩サポートであって、前記開口（８２；１０４）が軸を有し、前記軸が、前記保持装置（１８）が前記楽器の共鳴胴（１０）上で固定される時に、前記共鳴胴（１０）に対して少なくともほぼ垂直に配向されること、を特徴とする肩サポート。
【請求項１５】
請求項１２〜１４のいずれか１項に記載の肩サポートであって、差込みフックの形式の浮き上がり防止機構（１５８）が、前記固定要素（１２６；１８６）上に及び前記開口 （８２；１０４）上に形成されること、を特徴とする肩サポート。
【請求項１６】
請求項１５に記載の肩サポートであって、前記浮き上がり防止機構（１５８）が少なくとも１つの条片（８４ａ、８４ｂ、８４ｃ；２１０）を含み、前記少なくとも１つの条片（８４ａ、８４ｂ、８４ｃ；２１０）が、前記開口（８２；１０４）に配置され、かつ、溝（１５０）内に挿入可能であり、前記溝（１５０）が、前記固定要素（１２６；１８６）上に配置されること、を特徴とする肩サポート。
【請求項１７】
請求項１６に記載の肩サポートであって、１つ以上の前記溝（１５０）内への挿入が、前記固定要素（１２６；１８６）を前記開口（８２；１０４）に対して回転移動させることにより達成可能であること、を特徴とする肩サポート。
【請求項１８】
請求項１７に記載の肩サポートであって、更なる回転を阻止する止め（１５６）を特徴とする肩サポート。
【請求項１９】
請求項１７又は１８に記載の肩サポートであって、回転位置を動かないようにすることができる回転防止装置（１６２）を特徴とする肩サポート。
【請求項２０】
請求項１９に記載の肩サポートであって、前記回転防止装置（１６２）が枢動可能又は回転可能要素（１６４；１６４’；１９６）を含み、前記枢動可能又は回転可能要素（１６４；１６４’；１９６）が、阻止位置（１８２）の時に前記固定要素（１２６；１８６）に当たること、を特徴とする肩サポート。
【請求項２１】
請求項１９又は２０に記載の肩サポートであって、前記枢動可能又は回転可能要素（１６４；１６４’；１９６）が前記装置（２２；２０）上に装着され、前記装置（２２；２０）上に前記開口（８２；１０４）が形成されること、を特徴とする肩サポート。
【請求項２２】
請求項１〜２１のいずれか１項に記載の肩サポートであって、前記アーム（２２）及び／又は前記保持装置（１８）がプラスチック材料から製造され、ねじ山を備えた要素が金属材料からも製造することができること、を特徴とする肩サポート。
【請求項２３】
請求項１〜２２のいずれか１項に記載の肩サポートであって、前記肩当接要素（２０、４０４）が、パッド（８８；４１８）及びパッドホルダ（８６；４１６）を有すること、を特徴とする肩サポート。
【請求項２４】
請求項２３に記載の肩サポートであって、前記パッドホルダ（４１６）が、前記肩当接要素（４０４）のアーム接続部（４１４）上でパッドホルダ継手装置（４５６）によって移動可能に保持されること、を特徴とする肩サポート。
【請求項２５】
請求項２４に記載の肩サポートであって、前記パッドホルダ継手装置（４５６）が、少なくとも３つの離間継手を有すること、を特徴とする肩サポート。
【請求項２６】
請求項２５に記載の肩サポートであって、前記第２継手装置（１２０）が、一方の側にある少なくとも１つの継手と、反対の側に配置された少なくとも２つの離間継手（４５２, ４６８；４５４, ４７２）との間に配置されること、を特徴とする肩サポート。
【請求項２７】
請求項２４〜２６のいずれか１項に記載の肩サポートであって、前記パッドホルダ継手装置（４５６）が玉継手（４３８、４６０；４４６、４６４；４５２、４６８；４５４、４７２）を含むこと、及び、前記パッドホルダ（４１６）が、玉継手の各々のボールヘッド（４３８；４４６；４５２；４５４）用の受容体（４６０；４４６；４６８；４７２）を有すること、を特徴とする肩サポート。
【請求項２８】
請求項２４〜２７のいずれか１項に記載の肩サポートであって、前記パッド（４１８）を前記パッドホルダ（４５６）に固定する固着点（４８２）が、前記パッドホルダ継手装置（４５６）の継手ヘッド（４３８；４４６；４５２；４５４）上に形成されること、を特徴とする肩サポート。
【請求項２９】
請求項２４〜２７のいずれか１項に記載の肩サポートであって、前記アーム接続部（４１４）上に第１ロッカ要素（４３０）及び第２ロッカ要素（４５０）が配置され、前記第１ロッカ要素（４３０）及び前記第２ロッカ要素（４５０）が、前記アーム接続部（４１４）上に移動可能に装着されること、を特徴とする肩サポート。
【請求項３０】
請求項２９に記載の肩サポートであって、前記パッドホルダ継手装置（４５６）の前記継手ヘッド（４３８；４４６；４５２；４５４）のうちの少なくとも幾つかが、前記第１ロッカ要素（４３０）上に及び前記第２ロッカ要素（４５０）上に形成されること、を特徴とする肩サポート。
【請求項３１】
請求項２４〜３０のいずれか１項に記載の肩サポートであって、前記パッドホルダ（４１６）が、前記パッドホルダ継手装置（４５６）の継手ヘッド（４３８；４４６；４５２；４５４）用の各々の受容体（４６０；４６４；４６８；４８２）を備えた受容要素（４５８；４６２；４６６；４７０）を含み、隣接した受容要素が少なくとも１つのウェブ（４８０）により接続され、隣接した受容要素が前記少なくとも１つのウェブ（４８０）により互いに対して移動可能であり、前記パッドホルダ（４１６）が、一体にして形成されること、を特徴とする肩サポート。
【請求項３２】
請求項２３〜３１のいずれか１項に記載の肩サポートであって、前記パッドホルダ（８６）が、前記パッド（８８）用の受容空間（９４）に対して塑性変形可能であること、を特徴とする肩サポート。
【請求項３３】
請求項１〜３２のいずれか１項に記載の肩サポートであって、前記アーム（４０２）上に、前記保持装置（１８）に対する前記アーム（４０２）の設定角度用の及び／又は前記アーム（４０２）に対する前記肩当接要素（４０４）の設定角度用の調節要素（４０６）が配置されること、を特徴とする肩サポート。
【請求項３４】
請求項３３に記載の肩サポートであって、前記アーム（４０２）が、前記調節要素（４０６）用の摺動案内部である案内部（４０８）を備え、前記案内部（４０８）内での前記調節要素（４０６）の位置が設定角度を予め決め、前記調節要素（４０６）が前記アーム（４０２）を越えて突出する高さが調節可能であること、を特徴とする肩サポート。
【請求項３５】
請求項３４に記載の肩サポートであって、前記調節要素（４０６）が前記アーム（４０２）上で固定される、及び／又は、前記調節要素（４０６）の調節位置が力ロック式接続により前記案内部（４０８）内で固定されること、を特徴とする肩サポート。
【請求項３６】
請求項３３〜３５のいずれか１項に記載の肩サポートであって、前記調節要素（４０６）が、前記保持装置（１８）及び／又は前記肩当接要素（４０４）と接触するための当接領域（４１２）を有すること、を特徴とする肩サポート。
【請求項３７】
請求項１〜３６のいずれか１項に記載の肩サポートであって、前記保持装置（１８）上で顎ホルダ（２１２；２１２’；２１２”）が固定可能である又は固定されること、を特徴とする肩サポート。
【請求項３８】
請求項３７に記載の肩サポートであって、前記顎ホルダ（２１２）の顎サポート（２１４）及び前記保持装置（１８）の保持板（２４）が締付要素を形成し、前記締付要素の間で前記楽器の共鳴胴（１０）が締付可能であり、前記顎サポート（２１４）と前記保持板（２４）とが少なくとも１つの締付要素（２１６；２２０；２２２）により接続されること、を特徴とする肩サポート。
【請求項３９】
請求項３８に記載の肩サポートであって、前記顎サポート（２１４）が前記少なくとも１つの締付要素（２１６；２１８；２２０；２２２）用の挿入案内部を有し、前記挿入案内部が、挿入方向が締付方向（６４）に対して斜めになるように配置及び構成されること、を特徴とする肩サポート。
【発明の詳細な説明】
【技術分野】
【０００１】
本発明は、保持装置を含む楽器用肩サポートであって、この保持装置によって肩サポートが楽器に固定可能である又は固定される、肩サポートに関する。
【背景技術】
【０００２】
例えば、バイオリン上、又はビオラ上で肩サポートが使用され、この楽器は演奏家の肩上で支持できるようにされる。
【０００３】
DE 691 02 908 T2 （EP 0 445 632 B1）から、支持片を含むバイオリン用肩サポートが知られている。この肩サポートは、バイオリン奏者の肩上で支持されることが意図される。支持片は、アームに堅く固着されるが、アームに対する傾斜及び角度に対して調節可能にかつこのアームに沿った位置に対して調節可能に固着される。アームは顎サポートの底面に堅く固着される。この底面はバイオリンの下に位置する。調節位置のとき、単頭のねじが、アームに沿って、及び、アームに対して交差方向にある斜め位置に対しての両方で、支持片をアームに接続する。単頭のねじは、第１締付片、支持片、第２締付片、及びアームを通過し、アーム、支持片、ならびに第１締付片及び第２締付片の間での圧縮下に、第３締付片内で係合する。第１及び第２締付片は表面を有する。これらの表面は、互いに相補的であり、少なくともほぼ球形のキャップ形をしている。
【０００４】
WO 2006/117564 A1から、バイオリン用肩サポート、又は同様のものが知られている。この肩サポートは、固着板、肩パッド、ならびに、装着板及び肩パッドに接続するための支持アーム（を有するものである）。装着板は楽器の共鳴胴に固定することができ、この装着板、及び／又は肩パッドは、保持アームの１つの端部を挿入接続によって受容するための管継手を有する。この管継手は、ばね付き戻り止めにより固締される。保持アームの端部及び管継手は、係合後に保持アームが管継手に対して回転しないようにする手段を有する。
【０００５】
DE 83 00 295 U1及びEP 1 067 508 A2から、楽器用顎ホルダが知られている。
【０００６】
DE 213 995から、パッドから成るバイオリン用肩サポートが知られており、このサポートは、あらゆる位置において固定可能となるように、玉継手を介在させて、顎サポートに解放可能に接続される。
【０００７】
CH 277 350から、除去可能なバイオリン用肩サポートが知られており、そこでは、使用位置のときにバイオリン奏者の三角筋及び胸筋に寄りかかるサポートの一部に切込みが設けられ、サポートの、バイオリンへの接続部は、高さに対しても、及び身体へ向かう方向でも身体から離れる方向でも、前記サポートに関してこの接続部を調節できるように、ならびに全ての側に対して傾けることができるように、構成される。この切込みはバイオリン奏者の体形に応じて変形することができる。
【０００８】
EP 0 287 520 A1から、バイオリン用肩サポートが知られている。
【０００９】
例えば、US 2,746,336、US 1,416,644、US 1,971,552、WO 2006/096867 A2、EP 0 287 520 A1、WO 80/02617 A1、US 2,208,824、EP 0 567 050 A1、CZ 12490 U1、US 4,212,222、US 2,483,052、US 744,673、DE 23 56 218 A1、US 2009/0007751 A1、AU 314 335、CH 296363、CH 529 409、DE 30 21 047 C2、DE 36 43 225 A1、DE 100 07 834 A1、DE 201 16 245 U1、DE 199 09 972 B4、DE 213995、DE 293368、DE 503666、DE 555647、DE 556209、DE 1 204 055、DE 1669269、DE 1 692 936、DE 1 826 033、DE 2 009 097、DE 20 09 097、DE 25 11 466 A1、DE 26 04 897 A1、DE 28 48 610 C2、DE 40 91 689 C1、DE 75 08 303 U1、DE 93 03 031 U1、DE 195 00 066 A1、DE 295 00 054 U1、DE 603 14 296 T2、DE 693 19 487 T2、DE 10 2007 038 004 A1、DE 20 2007 003 473 U1、EP 0 180 069 A2、EP 0 445 632 A1、US 2005/0126353 A1、US 2004/0011182 A1、US 1,156,925、US 1,756,676、US 2,064,925、US 2,110,023、US 2,248,854、US 2,489,101、US 3,690,211、US 3,896,694、US 4,084,477、US 4,884,487、US 6,670,533 B1、US 6,680,431 B2、US 7,064,258 B2、US 7,659,463 B2、US 6,927,328 B2、又はWO 2004/077398 A1から肩サポートが知られている。
【先行技術文献】
【特許文献】
【００１０】
【特許文献１】DE 691 02 908 T2 (EP 0 445 632 B1)
【特許文献２】WO 2006/117564 A1
【特許文献３】DE 83 00 295 U1
【特許文献４】EP 1 067 508 A2
【特許文献５】DE 213 995
【特許文献６】CH 277 350
【特許文献７】EP O 287 520 A1
【特許文献８】US 2,746,336
【特許文献９】US 1,416,644
【特許文献１０】US 1,971,552
【特許文献１１】WO 2006/096867 A2
【特許文献１２】WO 80/02617 A1
【特許文献１３】US 2,208,824
【特許文献１４】EP 0 567 050 A1
【特許文献１５】CZ 12490 U1
【特許文献１６】US 4,212,222
【特許文献１７】US 2,483,052
【特許文献１８】US 744,673
【特許文献１９】DE 23 56 218 A1
【特許文献２０】US 2009/0007751 A1
【特許文献２１】AU 314 335
【特許文献２２】CH 296363
【特許文献２３】CH 529 409
【特許文献２４】DE 30 21 047 C2
【特許文献２５】DE 36 43 225 A1
【特許文献２６】DE 100 07 834 A1
【特許文献２７】DE 201 16 245 U1
【特許文献２８】DE 199 09 972 B4
【特許文献２９】DE 213995
【特許文献３０】DE 293368
【特許文献３１】DE 503666
【特許文献３２】DE 555647
【特許文献３３】DE 556209
【特許文献３４】DE 1 204 055
【特許文献３５】DE 1669269
【特許文献３６】DE 1 692 936
【特許文献３７】DE 1 826 033
【特許文献３８】DE 2 009 097
【特許文献３９】DE 25 11 466 A1
【特許文献４０】DE 26 04 897 A1
【特許文献４１】DE 28 48 610 C2
【特許文献４２】DE 40 91 689 C1
【特許文献４３】DE 75 08 303 U1
【特許文献４４】DE 93 03 031 U1
【特許文献４５】DE 195 00 066 A1
【特許文献４６】DE 295 00 054 U1
【特許文献４７】DE 603 14 296 T2
【特許文献４８】DE 693 19 487 T2
【特許文献４９】DE 10 2007 038 004 A1
【特許文献５０】DE 20 2007 003 473 U1
【特許文献５１】EP 0 180 069 A2
【特許文献５２】EP 0 445 632 A1
【特許文献５３】US 2005/0126353 A1
【特許文献５４】US 2004/0011182 A1
【特許文献５５】US 1,156,925
【特許文献５６】US 1,756,676
【特許文献５７】US 2,064,925
【特許文献５８】US 2,110,023
【特許文献５９】US 2,248,854
【特許文献６０】US 2,489,101
【特許文献６１】US 3,690,211
【特許文献６２】US 3,896,694
【特許文献６３】US 4,084,477
【特許文献６４】US 4,884,487
【特許文献６５】US 6,670,533 B1
【特許文献６６】US 6,680,431 B2
【特許文献６７】US 7,064,258 B2
【特許文献６８】US 7,659,463 B2
【特許文献６９】US 6,927,328 B2
【特許文献７０】WO 2004/077398 A1
【発明の概要】
【発明が解決しようとする課題】
【００１１】
本発明は、導入部で言及された種類の肩サポートを提供するという目的に基づく。この肩サポートは、個々に容易に適合することのできるものであり、容易に運搬したり、組立て／分解したりすることができる。
【課題を解決するための手段】
【００１２】
この目的は、本発明によれば、前記導入部で言及された前記肩サポートにおいて、アームが設けられ、このアームが前記保持装置に固定可能である又は固定され、肩当接要素が設けられ、この肩当接要素が、前記アームに固定可能である又は固定され、前記アームが前記保持装置上で第１継手装置によって保持され、及び／又は、前記肩当接要素が前記アーム上で第２継手装置によって保持され、前記第１継手装置が第１固定装置に関連付けられ、前記第１固定装置によって前記アームと前記保持装置との間の相対位置が設定可能であり、前記第２継手装置が第２固定装置に関連付けられ、前記第２固定装置によって前記肩当接要素と前記アームとの間の相対位置が設定可能であり、前記第１継手装置の一部が、前記アームを前記保持装置上で固定するための、特に解放可能に固定するための固定要素として構成され、及び／又は、前記第２継手装置の一部が、前記肩当接要素を前記アーム上で固定するための、特に解放可能に固定するための固定要素として構成される、という点で達成される。
【００１３】
本発明による解決策では、前記第１継手装置が設けられる、又は、前記第２継手装置が設けられる、又は、前記第１継手装置と前記第２継手装置の両方が設けられる。
【００１４】
前記保持装置に対する前記アームの相対的空間位置、又は、前記アームに対する前記肩当接要素の相対的空間位置を、対応する継手装置によって調節し固定することができる。これによって、演奏家は、前記肩サポートを個々に容易に適合させることができる。例えば、演奏家は、前記第１継手装置によって、前記保持装置に対する前記アームの相対的枢動位置を調節することができ、前記保持装置に対する前記肩当接要素の高さ位置をも調節することができる。例えば、演奏家は、前記アームに対する前記肩当接要素の相対的枢動位置を前記第２継手装置によって調節することができる。
【００１５】
例えば、前記第１継手装置及び前記第２継手装置が設けられる場合、前記肩当接要素の適応性について、使用者にとって少なくとも５つの自由度が利用可能である。例えば使用者は、前記第１継手装置によって、前記楽器の前記共鳴胴に対する高さ位置を調節することができ、前記楽器の長手方向軸に対して交差方向での位置を調節することができる。更に、使用者は、特に前記第２継手装置によって、前記肩当接要素を軸の周りで回転させることができる。この軸は、前記楽器の前記共鳴胴に対して交差方向にあり、少なくともほぼ垂直である。更に、使用者は、前記肩当接要素を前記楽器の軸に沿って傾けることも、この肩当接要素を前記楽器の前記軸に対して交差方向に傾けることもできる。
【００１６】
前記対応する第１固定装置又は第２固定装置によって、選択された調節が固定され、従って動かないようにされる。この調節は、例えば前記アームが前記保持装置から解放されても、及び／又は、前記アームが前記肩当接要素から解放されても維持することができる。その際、前記肩サポートは容易に運搬することができるが、特に、前記保持装置は前記楽器上で固定されたまま残すことができる。その後、前記肩サポートが再度組み立てられる場合、いったん選択された個々の調節は、前記第１継手装置及び／又は前記第２継手装置によって機械的に「保存される」。
【００１７】
前記第１継手装置の一部は、前記アームを前記保持装置上で固定するための、特に解放可能に固定するための固定要素として構成され、及び／又は、前記第２継手装置の一部は、前記肩当接要素を前記アーム上で固定するための、特に解放可能に固定するための固定要素として構成される。結果として、構築物が構造的に単純なものになり、構成要素が最小化する。
【００１８】
特に、前記第１継手装置及び／又は前記第２継手装置は、玉継手装置として構成される。結果として、前記アームと保持装置との間又は肩当接要素とアームとの間の相対位置にとって、調節可能性が広範囲になる。結果として、前記肩サポートは、最適化されたやり方で、個々に適合させることができる。
【００１９】
前記第１継手装置及び／又は前記第２継手装置が、継手ソケットと、前記継手ソケット内で移動可能な継手本体とを含むと有利である。特に、前記継手本体は、摺動するやり方で前記継手ソケット内を案内される。従って、対応する継手装置、特に玉継手装置を容易に形成することができる。
【００２０】
前記継手ソケットが凹球の形状を有し、前記継手本体が凸球の設計を有すると有利である。結果として、玉継手装置を容易に形成することができる。継手ソケット又は継手本体を、例えば前記アーム上に、一体にして容易に形成することもできる。これによって、構成要素の数を最小にすることができる。
【００２１】
特に、前記継手ソケットが第１装置上に配置され、前記継手本体が第２装置上に配置される。例えば、前記アーム上に継手ソケットが配置され、別個の要素上に前記継手本体が配置される。前記アーム上に前記継手本体が配置され、別個の本体上に前記継手ソケットが配置されることを実現することもできる。前記第１継手装置及び前記第２継手装置について、前記配置が異なっていてもよい。例えば、前記継手ソケット又は前記継手本体が、前記保持装置上、又は前記肩当接要素上に位置決めされることも基本的に可能である。
【００２２】
前記第１固定装置及び／又は前記第２固定装置が締付装置として構成され、前記締付装置によって前記継手本体と前記継手ソケットとが互いに締付可能であると有利である。これによって、何よりもまず、前記継手ソケットは、前記継手本体上で繋留式に保持される。前記締付装置に相応に予荷重を与えることにより、相対位置を調節することができる。それから、更に締め付けることにより、前記相対位置（例えば前記アームと保持装置との間の又は肩当接要素とアームとの間の）を設定することができる。この設定は、この場合、特に永続的なものであり、前記アームを前記保持装置から解放した後、又は前記肩当接要素を前記アームから解放した後でもそのまま残る。
【００２３】
特に、第１要素が設けられ、第２要素が設けられ、前記第１要素は、前記継手ソケットに対向する前記第１装置の外側に当接し、前記第２要素は、前記継手本体に対向する前記第２装置の外面に寄りかかり、前記第１要素と前記第２要素とは互いに接続される。締付力によって、前記継手本体及び継手ソケットを備えた対応する継手装置を共に保持することができる。この締付力は前記第１要素と前記第２要素との間に及ぼされる。前記締付力を増すことにより、前記継手ソケット内での前記継手本体の特定の相対位置を設定することができる。
【００２４】
例えば、前記第１要素及び前記第２要素のうち、一方の要素は接触ヘッドを備えたねじであり、前記第１要素及び前記第２要素のうちの他方の要素は、前記ねじがその上を案内される接触ナットである。結果として、締付力を容易に達成することができるため、例えば調節が容易に可能になり、その後、前記締付力を増すことにより特定の調節が確実になる、換言すれば調節が設定される。この締付力は、均整の取れたやり方で作動させることできる。
【００２５】
特に、前記第１装置及び前記第２装置の前記第１継手装置について、一方の装置が前記アーム又は前記保持装置であり、他方の装置が、特に、前記アームを前記保持装置上で解放可能に固定するための固定要素である。結果として、特に、前記保持装置上で前記アームを固定するための解放可能な固定要素も前記継手装置によって容易に実現化することができる。結果として、構成要素の数を少なく保つことができる。従って、更に、前記肩サポートの寸法を最適化することができる。
【００２６】
同じ理由で、前記第１装置及び前記第２装置の前記第２継手装置について、一方の装置が前記アーム又は前記肩当接要素であり、他方の装置が、特に、前記アーム上で前記肩当接要素を解放可能に固定するための固定要素であると有利である。その際、前記第２継手装置用にも固定要素が設けられる。この固定要素は、同時に前記継手の一部であり、前記アーム上で前記肩当接要素を固定するために使用される。
【００２７】
１実施形態において、前記第１継手装置及び／又は前記第２継手装置は前記アーム上に配置される。このことにより、構築物が構造的に単純なものになる。
【００２８】
前記第１継手装置及び前記第２継手装置が前記アームの両側に配置されると有利である。これによって、例えば、前記アームを上から前記保持装置へ設置することが可能であり、更に、前記肩当接要素を上から前記アームへ設置することが可能であり、前記継手装置の助けにより、前記アームと保持装置との間又は肩当接要素とアームとの間で前記固定を行うことができる。
【００２９】
構造的に単純な実施形態において、前記保持装置又は前記アームのいずれかは、前記アーム又は前記保持装置の固定要素が挿入可能である又は挿入される開口を有する。結果として、前記保持装置上で前記アームを解放可能に固定すること、又は、前記アーム上で前記肩当接要素を解放可能に固定することを容易に達成することができる。前記固定要素は対応する前記開口内に挿入され、浮き上がり防止機構が確保される。結果として、対応する固定が達成される。
【００３０】
この理由で、前記肩当接要素又は前記アームのいずれかは、前記アーム又は前記肩当接要素の固定要素が挿入可能である又は挿入される開口を有すると好ましい。結果として、例えば、前記肩当接要素を前記アーム上に設置し固定することができる。
【００３１】
特に、前記開口が軸を有する。この軸は、前記楽器の共鳴胴上で保持装置が固定される時に、前記共鳴胴に対して少なくともほぼ垂直に配向されるものであることが実現される。（ここで、「ほぼ」とは、垂線からのずれが、多くても２５°であることを意味するものとされる）。このことにより、前記アームを上から前記保持装置へ挿入することができる。これによって、例えば、前記楽器の共鳴胴にかき傷をつけることが実質回避される。更に、前記固定は容易に達成することができる。
【００３２】
好ましくは、前記固定要素上に及び前記開口上に、特に差込みフックの形態の浮き上がり防止機構が形成される。前記浮き上がり防止機構により、対応するカウンタ装置（例えば前記保持装置又は前記肩当接要素）の前記固定要素が、軸方向に固締されるやり方で接続可能であることが確実になる。
【００３３】
構造的に単純な実施形態において、前記浮き上がり防止機構は少なくとも１つの条片を含む。この条片は、特に、前記開口に配置される、溝内に挿入可能である。この溝は、特に、案内要素上に配置される。対応する前記条片が関連付けられた前記溝内に挿入されると、軸方向浮き上がり防止機構が達成される。換言すれば、前記固定要素はもはや前記開口から除去することができない。
【００３４】
前記固定要素を前記開口に対して回転移動させることにより、１つ以上の前記溝内への挿入が行われて浮き上がり防止機構を提供することができると特に有利である。その際、演奏家は肩サポートを容易かつ迅速に組立て又は分解することができる。
【００３５】
更なる回転を阻止する止めが設けられると有利である。これによって、前記回転移動に対する規定位置が設けられる。この規定位置とは阻止位置のことである。
【００３６】
その際、回転位置及び特に阻止位置を固締することのできる回転防止装置が設けられると更に有利である。このことにより、特に前記楽器の演奏中に、前記アームは前記保持装置から意図しないやり方で解放できないようになり、又は、前記肩当接要素は前記アームから解放できないようになる。
【００３７】
構造的に単純な実施形態において、前記回転防止装置は、枢動可能又は回転可能要素を含む。この枢動可能又は回転可能要素は、阻止位置の時に前記固定要素上に設置される。前記回転防止装置が前記阻止位置である時、前記アーム又は前記肩当接要素を移動させることにより前記アームを前記保持装置から解放したり、又は、前記肩当接要素を前記アームから解放したりすることはできない。
【００３８】
前記枢動可能又は回転可能要素が前記装置上に装着され、前記装置上に前記開口が形成されると有利である。例えば、前記開口が前記保持装置上に形成される場合、前記枢動可能又は回転可能要素は、好ましくは、前記保持装置上に装着される。このことにより、前記肩サポートの構築物が構造的に単純なものになる。例えば、前記枢動可能又は回転可能要素用の回転軸受として、この開口に隣接した開口を、特に、この開口内へと開口を、使用することができる。
【００３９】
前記アーム及び／又は前記保持装置がプラスチック材料から製造され、ねじ山を備えた要素が金属材料からも製造することができるとかなり特に有利である。結果として、前記肩サポートは低質量で形成することができる。結果として、或る状況下では、前記肩サポートが上に固定されると、前記楽器の音響パターンも、受ける影響が最小限になる。基本的に、少ない要素しか、特に関連のナットを備えたねじしか金属材料から製造されないことを実現することができる。これらのねじは締付力を及ぼすように使用される。これによって、摩耗を低減することができ、従って、これらの要素もプラスチック材料から製造される場合と比較して、前記肩サポートの寿命を増すことができる。
【００４０】
１実施形態において、前記肩当接要素はパッド及びパッドホルダを有する。前記パッドホルダは、例えば糊着により、前記肩当接要素に固定される。
【００４１】
１実施形態において、前記パッドホルダは、前記肩当接要素のアーム接続部上でパッドホルダ継手装置によって移動可能に保持される。これによって、前記パッドホルダの要素の対応する位置を相応に移動させ固定することにより、前記パッドの体輪郭への適合を容易に達成することができる。前記パッドホルダ継手装置によって、導入された力をエリア全体にわたって均一に配分することができる。前記パッドは、一方の側へ逸出することのないようにすることができ、これによって、支持機能が固締される。その際、更に、前記パッドが本質的に捻回可能かつ傾斜可能であることを容易に達成することができる。
【００４２】
特に、前記パッドホルダ継手装置は、少なくとも３つの離間継手、特に４つの離間継手を含む。従って、前記パッドが一方の側だけに逸出しないようにするために、エリアに関して、均一な圧力配分を容易かつ確実に達成することができる。
【００４３】
前記第２継手装置が、一方の側にある少なくとも１つの継手、特に２つの離間継手と、反対の側にある少なくとも２つの離間継手との間に配置されると特に有利である。その際、前記パッドホルダ継手装置の少なくとも３つの（好ましくは少なくとも４つの）継手が設けられ、前記第２継手装置は、前記肩当接要素の継手を前記アーム上で前記パッドホルダ継手装置の継手間に継手固定するように位置決めされる。
【００４４】
有利な実施形態において、前記パッドホルダ継手装置は玉継手を含む。特に、前記パッドホルダは、玉継手のそれぞれのボールヘッド用の受容体を有する。このことにより、前記パッドホルダ用に、広い位置決め範囲を達成することができる。これによって、特に、本質的に捻回可能かつ傾斜可能であるように、パッドを位置決めすることができる。
【００４５】
１実施形態において、前記アーム接続部上に第１ロッカ要素及び第２ロッカ要素が配置され、前記第１ロッカ要素及び前記第２ロッカ要素は、特に、前記アーム接続部上に移動可能に装着される。このことにより、前記パッドホルダのための位置が幅広い範囲のものになる。
【００４６】
前記パッドホルダ継手装置の少なくとも幾つかの継手ヘッドが、前記第１ロッカ要素上に及び前記第２ロッカ要素上に形成されると有利である。このことにより、前記アーム接続部を単純なやり方で構築することができる。例えば、前記第１ロッカ要素及び前記第２ロッカ要素がその上で保持される中央部が設けられる。前記ロッカ要素上に、継手ヘッド、特に２つ以上の継手ヘッドを、一体にして容易に形成することができる。これらの継手ヘッドは、特に、プラスチック材料の射出成形部品である。
【００４７】
前記パッドホルダが、前記パッドホルダ継手装置の継手ヘッド用の各々の受容体用に離間受容要素を含み、これらの離間受容要素が少なくとも１つのウェブにより接続され、隣接した受容要素が、前記少なくとも１つのウェブによって互いに対して移動可能、特に、設定可能に移動可能であり、前記パッドホルダが特に一体にして形成されるとかなり特に有利である。隣接した受容要素間の前記少なくとも１つのウェブ要素のおかげで可撓性が達成される。このことにより、隣接した受容要素を互いに対して調節可能に位置決めすることができる。この場合、ウェブ要素は、移動可能とすることができ、及び／又は、移動可能に配置することができ（例えば１つ以上のヒンジにより、等）、及び／又は、隣接した受容要素の相対移動が可能になるように弾力的に形成することができる。結果として、前記体輪郭への適合にとって、調節可能性が広範囲なものとなる。更に、平面的なやり方で圧力を導入することができるため、圧力負荷が一方の側だけになること（前記パッドが「逸出」する危険性のある）が回避される。基本的に、前記パッドにより、又は前記パッド上で、ウェブを形成することもできる。
【００４８】
前記パッドホルダが、前記パッド用の受容空間に対して塑性的に形成可能であると有利なこともある。このことにより、演奏家にとって、個々の更なる適合可能性が生じる。演奏家は、前記パッドホルダを演奏家の肩の形状に適合させることができ、従って、例えば前記パッドを適合させることもできる。
【００４９】
１実施形態において、前記アーム上に、前記保持装置に対する前記アームの設定角度用の及び／又は前記アーム上での前記肩当接要素の設定角度用の調節要素が配置される。前記調節要素のおかげで、前記設定角度用に予め選択されたタイプを調節して、例えば、いったん調節された位置に留意することが許容され、又は、より短時間での調節が許容される。
【００５０】
特に、前記アームが、案内部、特に、前記調節要素用の摺動案内部を備え、前記案内部内で調節されるべき前記要素の位置が設定角度を予め決め、特に、前記調節要素が前記アームを越えてそれだけ突出する高さは調節可能である。前記調節要素は、ラッチの一種として構成することができる。前記当接領域が前記アームを越えて突出する前記高さにより、前記調節要素がその当接領域によって前記保持装置又は前記肩当接要素にいつ接触するかが決まる。これによって、前記設定角度を予め選択することができる。
【００５１】
単純な実施形態において、前記アーム上で調節要素が固定される、及び／又は、前記調節要素の調節位置が力ロック式接続により前記案内部上で固定される。前記力ロック式接続により、固定が繋留式となり、又は、調節位置、特に摺動位置が固定される。従って、前記案内部及び前記調節要素は、単純なやり方で構成することができる。
【００５２】
特に、前記調節要素は、前記保持装置及び／又は前記肩当接要素と接触するための当接領域を有する。この当接領域は阻止面であり、この阻止面は前記設定角度を予め決める。
【００５３】
１実施形態において、前記保持装置上で顎ホルダが固定可能である又は固定される。これによって、前記肩サポートが固定された前記楽器は、顎と肩との間で締め付けることができ、演奏家の顎は、前記楽器の前記共鳴胴に直接触れるのではなく、前記顎ホルダに触れる。このことは、演奏家にとって人間工学的利点を生じる。
【００５４】
特に、前記顎ホルダの顎サポート及び前記保持装置の保持板が締付要素を形成し、前記締付要素の間で前記楽器の共鳴胴を締め付けることでき、前記顎サポートと前記保持板とが少なくとも１つの締付要素により接続されることが実現される。結果として、前記肩サポートは、前記顎ホルダ及び前記保持板により、前記楽器の前記共鳴胴上で締め付けることができる。前記顎サポートは、ある程度は、前記顎要素保持板に対するカウンタ継手要素である。
【００５５】
１実施形態において、前記顎サポートが前記少なくとも１つの締付要素用の挿入案内部を有し、前記挿入案内部が、挿入方向が締付方向に対して斜めになるように配置及び構成されることが実現される。結果として、締付要素を実現化することができ、この締付要素は、少なくとも外面上は金属部分を持たない。結果として、金属部分の、演奏家の肌との接触部がないようにすることができる。明確に参照するEP 1 067 508 A2に、対応する締付要素が記載される。
【００５６】
好適な実施形態の以下の記載は、本発明を、図面と合わせてより厳密に記載するために使用される。
【図面の簡単な説明】
【００５７】
【図１】楽器の共鳴胴上での固定を示す、本発明に係る肩サポートの実施形態の斜視図。
【図２】図１に係る肩サポートの、別の斜視図。
【図３】１つのアームが保持装置及び肩当接要素から解放されている、図１に係る肩サポートの更なる斜視図。
【図４】図１に係る肩サポートの、方向Ａでの平面図。
【図５】図１に係る肩サポートの組立分解図。
【図６】図４に係る線６‐６に沿った断面図。
【図７】締付要素（図４には示さず）を備えた、図４に係る線７‐７に沿った断面図。
【図８（ａ）】回転位置（挿入位置）を固締していない、図２に係る領域Ｃの方向Ｂでの平面図。
【図８（ｂ）】同じ領域の、反対側からの対応する（図４の図に対応する）図。
【図９（ａ）】対応する回転位置を固締している、図８（ａ）におけるのと同じ図。
【図９（ｂ）】回転位置を固締している、図８（ｂ）におけるのと同じ図。
【図１０（ａ）】挿入が可能な位置にある回転防止装置の、更なる実施形態の部分図。
【図１０（ｂ）】図１０（ａ）に係る回転防止装置の、別の図。
【図１１（ａ）】回転防止装置が阻止位置にある、図１０（ａ）と同じ図。
【図１１（ｂ）】固締位置にある、図１０（ｂ）と同じ図。
【図１２（ａ）】回転防止装置の、更なる実施形態の図。
【図１２（ｂ）】図１２（ａ）の回転防止装置の、もう一方の側からの図。
【図１３】本発明に係る、顎ホルダを有する肩サポートの実施形態であり、この肩サポートは楽器上で固定される。
【図１４】顎ホルダを備えた肩サポートの更なる実施形態。
【図１５】顎ホルダを備えた肩サポートの更なる実施形態。
【図１６】肩サポートの更なる実施形態の斜視図。
【図１７】下側から示す、図１６に係る肩サポート。
【図１８】図１６に係る肩サポートの側面図。
【図１９】図１６に係る肩サポートのアーム接続部。
【図２０】パッドホルダがその上で固定された、図１９に係るアーム接続部。
【図２１】アーム接続部と、パッドホルダ上でパッドが固定された図２０に係るパッドホルダとの組み合わせ。
【図２２】アーム接続部と、図１９に係るパッドホルダとの組み合わせの側面図。
【発明を実施するための形態】
【００５８】
演奏家は、バイオリン又はビオラ等の楽器を肩サポートによって、その肩上で支持することができる。この目的で、肩サポートは楽器の共鳴胴１０（図１）上で固定される。共鳴胴１０の橋絡端部に固定領域があり、肩サポートは共鳴胴１０の底面１２と上面１４との間で固定される。
【００５９】
本発明に係る肩サポートの１実施形態は、肩サポート１６を共鳴胴１０にそれによって固定することのできる保持装置１８と、肩当接要素２０と、アーム２２とを含む。肩当接要素２０は演奏家の肩上に設置することのできるものであり、アーム２２は、特に解放可能に保持装置１８に固定され、特に解放可能に肩当接要素２０に固定される。この実施形態は図１〜図７に示しそこで符号１６で表す。
【００６０】
保持装置１８は、下側２６を備えた保持板２４を含む。下側２６は、肩サポート１６が固定される際、共鳴胴１０の底面１２を向く。更に、保持板２４は、下側に対向する上側２８を有する。保持板２４は平坦である。下側２６の包絡面と上側２８の包絡面との間の間隔は、少なくともほぼ一定である。
【００６１】
保持板２４は、特に、プラスチック材料から製造される。保持板上に、第１フランジ３０ａ及び第２フランジ３０ｂが配置される。これらのフランジは互いから離間する。いずれの場合も、第１フランジ３０ａ及び第２フランジ３０ｂはねじ３４用の案内チャネル３２を有する（図７）。案内チャネルは、出入口開放部３６を経由して上側２８の方向に開いている。結果として、この側から、ねじまわし又は同様のものを用いてねじヘッド３８に作用することが可能である。
【００６２】
第１フランジ３０ａに第１締付要素４０ａが関連付けられ、第２フランジ３０ｂに第２締付要素４０ｂが関連する。この種類の締付要素４０ａ、４０ｂは最下部４２を有する。最下部４２は、共鳴胴１０の底面１２上に設置することができる。特に、最下部４２上にパッド４４が着座する。パッド４４は楽器に直接接触する。パッド４４は、例えば、コルク片により形成される。それぞれの締付要素４０ａ、４０ｂはカウンタ要素４６を有する。カウンタ要素４６は、第１締付要素４０ａ上、又は第２締付要素４０ｂ上に、回転不能に配置される。このカウンタ要素４６に、ねじ３４の雄ねじ５０が中で係合する雌ねじ４８が設けられる。カウンタ要素４６は、例えば、第１締付要素４０ａ上に回転不能に着座するナットにより形成される。
【００６３】
第１締付要素４０ａ及び第２締付要素４０ｂがプラスチック材料から製造されることを実現することができる。ここで、ねじ３４及びカウンタ要素４６はプラスチック材料ではなく、例えば、金属材料から製造することが基本的に可能である。その際、締付要素４０ａ、４０ｂは、特に、対応するねじ３４を外面上被覆するように構成されるため、演奏家の肌に触れることはなく、肌に触れるのはせいぜいプラスチック材料である。結果として、アレルギーに対する保護が実現化される。
【００６４】
第１締付要素４０ａ又は第２締付要素４０ｂは、例えば、溝様要素５２を有する。溝様要素５２は、対応する第１フランジ３０ａ上への又は第２フランジ３０ｂ上への当接領域５４を有する。特に、各々のフランジ３０ａ、３０ｂの１つの要素５６を、当接領域５４上で溝様要素５２内に挿入することができ、この要素３６上には案内チャネル３２が形成される。
【００６５】
要素５２上に、カウンタ要素４６がその上で回転不能に固定可能であるカウンタ要素用受容領域５８が形成される。受容領域５８は、特に、一体にして形成される。
【００６６】
ここで、ねじ３４用の雌ねじが要素５６内に直接形成されることも基本的に可能である。
【００６７】
雌ねじ４８及び雄ねじ５０は、同軸の軸６０を有する。これに応じてねじ３４を回転させて位置決めすることにより、楽器の共鳴胴１０の底面１２上にある保持板２４の当接領域６２とパッド４４との間の間隔を調節することができる。ねじ３４によって、締付方向６４が軸６０に対して平行である締付力を及ぼすことができるため、保持装置１８は、共鳴胴１０上で底面１２と上面１４との間を締付可能である。
【００６８】
ここで、保持板２４の当接領域６２上にパッド６６が配置される。パッド６６は、特に、コルク要素により形成される。
【００６９】
１実施形態において、フランジ３０ａ及び３０ｂのすぐ後方に、対応するパッド６６が横たわる。ここで、第１フランジ３０ａ及び第１締付要素４０ａ、又は、第２フランジ３０ｂ及び第２締付要素４０ｂについて、いずれの場合も、パッド４４とパッド６６との間の接続線が、締付方向６４に対して少なくともほぼ平行に位置する。互いに関連するパッド４４及び６６は、互いに対して整列して配向される。
【００７０】
操作者は、上側２８から出入口３６を通してねじを回転させることができ、これによって、共鳴胴１０上で保持装置１８を固定することができ、又は、固定された保持装置１８を解放することができる。
【００７１】
１実施形態において、第１フランジ３０ａ及び第２フランジ３０ｂは、保持板２４と一体に接続される。
【００７２】
別の実施形態において、第１フランジ３０ａ及び第２フランジ３０ｂは橋絡部６８により互いに接続される。特に、橋絡部６８と、フランジ３０ａ及び３０ｂとは、互いに一体に接続される。橋絡部６８とフランジ３０ａ、３０ｂとをこのように組み合わせたものは、保持板２４から分離した要素である。この要素７０は、保持板２４に対して固定することができる。この目的で、保持板２４はその上側２８に、膨出部７２を有する。膨出部７２は、保持板２４の縁部に向かってウェブ７４により限定される。ウェブ７４は、アンダカット領域７６を規定する。ウェブ７４は、両側に向かって開口７８ａ、７８ｂにより限定される。要素７０は膨出部７２内に挿入することができる。その際、第１フランジ３０ａは開口７８ａ内に挿入することができ、第２フランジ３０ｂは開口７８ｂ内に挿入することができる。保持板２４が共鳴胴１０と共に締め付けられると、橋絡部６８は膨出部７２内に押し込まれる。ウェブ７４は、要素７０を保持板２４から引き離すことに対する阻止面を形成する。保持板２４上にある膨出部７２の限定面８０が、更なる阻止面を形成する。橋絡部６８が中に挿入されるアンダカット領域７６は、要素７０を保持板２４上で締付方向６４に関して予めしっかりと固定することを確実にする。
【００７３】
膨出部７２を使用して、橋絡部を受容することも基本的に可能である。この橋絡部とは、顎ホルダ上に配置されるものであり、この場合、楽器の共鳴胴１０上にある、顎ホルダの締付要素である。対応する橋絡部が凹部７２内に挿入される場合、顎ホルダが締め付けられると、これによって保持板２４も楽器上で締付けられ、これによって肩サポートが固定される。
【００７４】
記載する実施形態において、保持板２４と要素７０とを備えた保持装置１８は、２部分にして形成される。保持装置１８が保持板２４と要素７０とに相応に分解されると、要素７０は、より容易に運搬することができ、又は、より小さい梱包に収めることができる。
【００７５】
保持板２４（例えば図３）内に、下側２６と上側２８との間を通過する開口８２が配置される。この開口８２は、例えば、円形の形状を有する。その縁部に、条片８４ａ、８４ｂ、８４ｃが、角度間隔をおいて配置される。１実施形態において、３つの条片８４ａ、８４ｂ、８４ｃが設けられる。これらの条片は、特に、均一な角度間隔で配置される。この角度間隔は、条片が３つである場合、（半径方向中心線に基づき）１２０°である。以下でより詳細に記載するように、これらの条片８４ａ、８４ｂ、８４ｃによって、保持装置１８上でアーム２２を解放可能に固定することができる。
【００７６】
条片８４ａ、８４ｂ、８４ｃにより、差込みフックの種類を実現化することができる。３つの条片８４ａ、８４ｂ、８４ｃが存在する際、６０°の角度範囲内で移動させることによって、対応する固定を達成することができる。４つ以上の条片が存在することも可能である（図面には示さず）。例えば、このような条片が４つ存在する。その際、４５°の角度範囲内で移動させることにより、相応じて固定が達成される。
【００７７】
肩当接要素２０は、パッド８８（図５）がその上に配置されるパッドホルダ８６を含む。１実施形態において、パッドホルダ８６、及び、相応じて、パッド８８は第１限定輪郭９０を有する。第１限定輪郭９０は湾曲している。更に、相対する、湾曲した、例えば、繰り返し湾曲した、第２限定輪郭９２が設けられる。
【００７８】
パッドホルダ８６は、特に、パッド８８用の受容空間９４を有する。受容空間９４は、底面要素９６と、底面要素９６上に配置される、特にこの底面要素と一体にして形成される縁壁９８とにより限定される。
【００７９】
パッドホルダ８６は、例えば、塑性金属材料から形成され、変形させることができる（パッド８８と共に）。結果として、演奏家は、パッド８８を備えたパッドホルダ８６を、その肩輪郭に適合させることができる。
【００８０】
底面要素９６は下側１００を有する。下側１００は、（肩サポート１６が組み立てられる際）保持装置１８を向く。更に、底面要素は上側１０２を有する。上側１０２は、下側１００から遠く離れている。下側１００と上側１０２との間に形成されるのは、アーム２２を肩当接要素２０に、特に差込みフックのやり方で解放可能にそれによって接続することのできる連続した開口１０４である。
【００８１】
開口１０４は特に円形である。その縁部に、離間した条片１０６が形成される。例えば、３つの条片が設けられる。これらの条片は、互いに対して１２０°という（半径方向中心線に基づく）均一な角度間隔で位置する。従って、以下でより詳細に記載するように、アーム２２上での肩当接要素２０の固定を、保持装置１８上でのアーム２２の固定と同様のやり方で達成することができる。
【００８２】
塑性変形を促進するために、底面要素９６に、例えば孔又は溝の形態の、１つ以上の凹部１０８を設けることができる。
【００８３】
パッド８８はパッドホルダ８６上に、例えば接着される。
【００８４】
保持板２４は開口８２の領域において、保持装置１８が共鳴胴１０上で固定される時に下側２６が底面１２から離間するように構成される。結果として、アーム２２が挿入される時に、共鳴胴１０にかき傷をつけることが回避される。このことは以下でより詳細に記載する。
【００８５】
アーム２２は、保持装置１８と肩当接要素２０との間の接続片である。アーム２２は下側１１０を有する。下側１１０は、肩サポート１６が共鳴胴１０上で固定される際、底面１２を向く。更に、アームは、相対する上側１１２を有する。上側１１２は、肩当接要素２０が演奏家の肩に寄りかかる際、肩を向く。下側１１０及び上側１１２は、例えば、湾曲した形状を有するため、アーム２２が保持装置上で固定される際、いずれの場合も、保持装置１８と肩当接要素２０との間に相応じて大きい間隔がもたらされる。アーム２２は第１端部１１４を有し、この第１端部１１４の領域に第１継手装置１１６が配置される。アームは、第２継手装置１２０がその上に配置される、対向する第２端部１１８を有する。アーム２２と保持装置１８との間の相対位置は、第１継手装置１１６によって、固定可能に調節することができる。肩当接要素２０とアーム２２との間の相対位置は、第２継手装置１２０によって、固定可能に調節することができる。結果として、演奏家は、最適化されたやり方で、肩サポート１６を個々に適合させることができる。
【００８６】
アーム２２の、第１端部１１４と第２端部１１８との間の長さは、この長手方向に対して交差方向での幅よりも大きい。
【００８７】
広範囲の調節可能性を実現化するために、第１継手装置１１６及び第２継手装置１２０は、特に、玉継手装置として構成される。
【００８８】
第１継手装置１１６は、凹球の形状である継手ソケット１２２を含む。この継手ソケット１２２は、アーム２２の下側１１０に構成され、特に、一体にして形成される。
【００８９】
更に、第１継手装置１１６は継手本体１２４を含む。継手本体１２４は、凹球の設計を有する。対応する（仮想の）ボールの半径が、継手ソケット１２２の（仮想の）中空ボールの半径に適合する。継手本体１２４は、継手ソケット１２２内に位置し、その表面で摺動する。
【００９０】
継手本体１２４は、固定要素１２６上に形成される。この固定要素１２６は、アーム２２とは別個の要素である。固定要素１２６はアーム２２に、繋留式のやり方で接続される。この目的で、接触ヘッド１３０を備えたねじ１２８が設けられる。アーム２２内で上側１１２と継手ソケット１２２との間に、開口１３２が形成される。この開口１３２は円形をしているのではなく、例えば、六角形の形状を有する。更に、ナット１３４が設けられる。ナット１３４は、雌ねじを備えたフランジ１３８がその上に着座する接触ヘッド１３６を有する。フランジ１３８の外部形状は開口１３２の形状に適合する。フランジ１３８は開口１３２内に挿入することができ、回転防止装置が設けられる。
【００９１】
固定要素１２６も開口１４０を有する。開口１４０は、継手本体１２４の仮想のボールの１つの極に寄りかかるものであり、フランジ１３８が開口１４０を通して挿入される。開口の周りで継手本体１２４から遠く離れている側に、接触ヘッド１３６用の当接領域が形成される。ねじ１２８はその接触ヘッド１３０によりアーム２２に寄りかかり、接触ヘッド１３６は固定要素１２６に寄りかかる。結果として、固定要素１２６を、接触ヘッド１３０と接触ヘッド１３６との間で締め付けることができる。継手本体１２４及び継手ソケット１２２が互いの上で、繋留式のやり方でそれにより保持され、互いにそれにより締め付けることのできる締付装置１４２が形成される。締付装置１４２によって継手本体１２４と継手ソケット１２２との間の相対位置をそれにより締め付けによって固締することのできる固定装置が同時に形成される。ねじヘッドは第１要素を形成する。この第１要素は、継手ソケット１２２に相対するアーム２２の外面１１２に接する。接触ヘッド１３６は第２要素を形成する。この第２要素は、継手本体１２４に相対する固定要素１２６の外面に接する。第１要素と第２要素とは互いに接続される。
【００９２】
固定要素１２６は、接続領域１４４により開口８２内に挿入することができる。開口８２は、固定要素１２６用の管継手を形成する。ここで、接続領域は、継手本体１２４が一体になってその上に着座する環状要素１４６を含む。ここで、環状要素１４６の半径は、対応する半径方向において、継手本体１２４の幅よりも小さい。これによって、固定要素１２６上に、この固定要素を保持板の上側２８にそれにより設置することのできる環状当接面１４８が形成される。
【００９３】
開口８２上の条片８４ａ、８４ｂ、８４ｃに応じて、環状要素１４６上に溝１５０が形成される。環状要素１２６上で当接面１４８と壁１５２との間に、溝１５０が形成される。壁１５２は、そして相応に溝１５０も、周縁方向に延びる。条片８４ａ、８４ｂ、８４ｃを導入できるようにするために、一方の端部１５４に向かって溝１５０が開いている。もう一方の端部１５６に向かう方では、溝１５０が壁により限定される。
【００９４】
条片８４ａ、８４ｂ、８４ｃは、関連する溝１５０と共に、アーム２２用の、保持装置１８からの浮き上がり防止機構１５８を形成する。アーム２２は、保持装置１８上で解放可能に固定することができる。この目的で、固定要素１２６は開口８２内に、特に、条片８４ａ、８４ｂ、８４ｃが、隣接した壁１５２間に位置するように挿入される。当接面１２８が保持板２４に接する際、対応する条片８４ａ、８４ｂ、８４ｃは端部１５４にて、対応する溝１５０内に挿入することができる。この挿入は、対応する回転移動により実現化される。この場合、端部１５６にある壁は止め１６０を形成する。止め１６０は、更なる回転を阻止する。これによって、軸方向浮き上がりに抗する固締が達成される。
【００９５】
浮き上がりに抗して固締されるアーム２２の位置を保持装置１８上でそれによって固定することのできる回転防止装置１６２が更に設けられる。
【００９６】
１実施形態において、回転防止装置１６２は回転可能要素１６４を含む。回転可能要素１６４は、保持板２４上で開口１０４の領域に回転可能に装着される。例えば、開口８２上に形成され、開口８２に接続されるのは、更なる開口１６６である。この開口１６６は、回転可能要素１６４用のシャフト軸受を形成する。
【００９７】
回転可能要素１６４は、特に、円筒形に構成されたシャフト１６８を有する。シャフト１６８は、開口１６６内に着座する。シャフトは、回転可能要素１６４の、相対する要素１７０ａと要素１７０ｂとの間に着座する。シャフト１６８は、要素１７０ａ及び１７０ｂよりも小さい幅寸法を有する。要素１７０ａは保持板２４の上側２６に寄りかかる。要素１７０ｂは保持板２４の下側２６に接する。従って、回転可能要素１６４の回転軸１７２に関する軸方向固締が実現される。
【００９８】
開口１６６は開口８２に向かって先細になっている。回転可能要素１６４は、シャフト１６８の上方で押さえつけられる。開口１６６は、先細になっているおかげで、しっかりと保持され、従って、保持板２４上で開口８２の方向に、繋留式のやり方で保持される。
【００９９】
回転可能要素は、特に、一体にして形成される。この回転可能要素は、ラッチ型の作動要素１７４（例えば図８（ａ））を有する。作動要素１７４は、要素１７０ｂに接続され、従って、保持板２４の上側２８に着座する（例えば図８（ａ）を参照のこと）。
【０１００】
要素１７０ａに阻止ヘッド１７６（例えば図８（ｂ）を参照のこと）が接続される。前記阻止ヘッドは、保持板２４の下側２６に着座する。シャフト１６８は、阻止ヘッド１７６と作動要素１７４との間を延びる。解放位置１７８（図８（ａ）及び（ｂ））のとき、作動要素１７４、従って阻止ヘッド１７６は、固定要素１２６を開口８２内に挿入できるように、そしてそこで回転させて浮き上がり防止機構を生成できるように位置決めされる。阻止面１８０（図８（ｂ））は、固定要素１２６の壁１５２に触れない。
【０１０１】
阻止位置１８２（図９（ａ））において、作動要素１７４は、従って阻止ヘッド１７６も、解放位置１７８に対して回転する（図９（ａ）及び（ｂ））。その際、阻止ヘッド１７６の阻止面１８０は、壁１５２の端部に接する。結果として、固定要素１２６は、回転により除去されることが阻止される。ここで、阻止ヘッド１７６を備えた回転可能要素１７４を備えた回転防止装置１６２は、アーム２２を保持板２４に対して回転させることにより回転可能要素１６４が阻止位置１８２から進んで回転することができないように、換言すれば、阻止位置１８２を越えることができないように、構成される。阻止位置を越えるには、回転可能要素１６４を回転させて阻止面１８０を外へ案内することが必要である。
【０１０２】
回転可能要素１６４がその解放位置１７８へと回転すれば、条片８４ａ、８４ｂ、８４ｃを除去することにより、固定要素１２６は、対応する溝１５０から外へ回転させ、その後持ち上げることができる。
【０１０３】
第１継手装置１１６の一部は固定要素１２６である。従って、アーム２２の、保持装置１８に対する位置を、第１継手装置１１６によって（固定装置１４２により）、固定可能に調節することができ、更に、アーム２２と保持装置１８との間の解放可能な接続を生成することができる。ここで、アーム２２と保持装置１８との間の、第１継手装置１１６によって調節される相対位置は、アーム２２と保持装置１８との間の解放可能な固定の影響を受けない。保持装置１８とアーム２２との間の相対的枢動位置は、固定装置１４２のため、継手本体１２４の継手ソケット１２２に対する相対位置を厳正に調節することにより維持される。一方で、このことにより、演奏家にとって、肩サポート１６を自らの個々の要件に合わせて調節する適合可能性が広範囲なものとなり、他方で、肩サポート１６を分解して運搬することができる。従って、例えば、保持装置１８は楽器上に残すことができる。この楽器は例えば運搬用ケースに収められる。アーム２２は、肩当接要素２０と共に保持装置１８から解放することができるため、別個に運搬することができる。
【０１０４】
第１継手装置１１６は、相当な程度、アーム２２の下側１１０に配置される。第２継手装置１２０は、少なくとも相当な程度、アーム２２の上側１１２に配置される。第２継手装置１２２は継手本体１８４を有する。継手本体１８４は球形に凸状である。この継手本体１８４は、特に、アーム２２上で端部１１８の領域に、一体にして形成される。更に、第２継手装置１２０は、継手本体１８４に関連する固定要素１８６を有する。この固定要素１８６は継手ソケット１８８を有する。継手ソケット１８８は、球形に凹形の形状を有する。継手本体１８４及び継手ソケット１８８は互いに適合し、継手本体１８４は継手ソケット１８８内を、摺動するやり方で案内される。
【０１０５】
固定要素１８６は、継手本体１８４上で、繋留式のやり方で保持され、従って、アーム２２上で、締付装置１９０によって保持される。ここで、締付装置１９０は、例えば締付装置１４２のように構成される。特に、この締付装置は、継手本体１８４と継手ソケット１８８との間の特定の相対位置を、締め付けによりそれによって固締することのできる固定装置として構成される。
【０１０６】
締付装置１９０は、好ましくは、ねじ１２８に対応するねじ１２８’、及び、ナット１３４に対応するナット１３４’を含む。ここで、ナット１３４’は、アーム２２上、特に継手本体１８４の後ろ側で支持される。継手ソケット１８８から遠く離れている固定要素１８６の後ろ側では、ねじ１２８’の接触ヘッド１３０’が支持される。
【０１０７】
固定要素１８６は、肩当接要素２０の開口１０４内に挿入することができる。開口１０４は、固定要素１８６用の管継手を形成する。この場合、開口は接続領域１９２を有する。接続領域１９２は、基本的に接続領域１４４と同じにして構成される。浮き上がり防止機構１５８に対応する浮き上がり防止機構が設けられる。肩当接要素２０が固定要素１８６に対して相対回転することによって、軸方向浮き上がり防止機構を設けることができる。更に、回転防止装置１６２に対応する回転防止装置が設けられる。回転防止装置１６２は、回転可能要素１６４に対応する回転可能要素１６４’を含む。この目的で、パッドホルダ８６上で開口１０４に隣接して、回転可能要素１６４’が中に挿入される開口１６６’が配置される。
【０１０８】
ここで、パッドホルダ８６の下側１００に、回転可能要素１６４’の、対応する作動要素１７４’が着座する。
【０１０９】
アーム２２は第１継手装置１１６及び第２継手装置１２０と共に、好ましくは、プラスチック材料から製造される。ここで、ねじ山の設けられた要素（ねじ１２８、１２８’、及びナット１３４、１３４’）は金属材料から製造されることを実現することができる。
【０１１０】
本発明に係る肩サポート１６は、以下のように機能する。
【０１１１】
肩サポート１６は、互いから解放することのできる３つの部分、つまり、保持装置１８、アーム２２、及び肩当接要素２０を有する。任意で、要素７０内の締付要素４０ａ、４０ｂも、保持装置１８から解放可能とすることができる。
【０１１２】
アーム２２と保持装置１８との間の相対的枢動位置を、固定可能に調節することができる。これによって、第２端部１８の、保持装置１８に対する高さを、特に、演奏家の要件に応じて調節することができる。締付装置１４２により、いったん選択された調節を「永続的に」固締することができる。
【０１１３】
相応に、第２継手装置１２０により、肩当接要素２０とアーム２２との間の相対位置を調節することができ、この調節を永続的に固締することができる。
【０１１４】
肩サポート１６は、使用者用に、言及された部分に分解することができる。アーム２２は保持装置１８から解放可能であり、肩当接要素２０はアーム２２から解放である。
【０１１５】
ここで、基本的に、第１継手装置１１６のみ、又は第２継手装置１２０のみが設けられることを実現することができる。しかし、このことは、適合可能性を低くするだけである。
【０１１６】
更に、解放機能が実現化されることなく、アーム２２が、例えば、肩当接要素２０に堅く接続されることが基本的に可能である。
【０１１７】
第１継手装置１１６と第２継手装置１２０の両方が設けられる場合、調節可能性が広範囲なものとなる。アーム２２が、保持装置１８からも肩当接要素２０からも解放可能である場合、肩サポート１６は空間節約式のやり方で運搬することができ、保持装置１８は、特に、楽器上に残すことができる。
【０１１８】
演奏家が、保持装置１８の開口８２上に固定要素１２６によってアーム２２を挿入する場合、浮き上がり防止機構は、対応する回転により達成される。対応する回転位置は回転防止装置１６２によって固締される。同じことが、肩当接要素２０の、アーム２２上での固定にも当てはまる。
【０１１９】
本発明に係る解決策によれば、一方で、演奏家にとって最適な個々の適合用に、広範囲の調節可能性を含む肩サポートが設けられる。他方で、容易な運搬を可能にするために、アーム２２及び肩当接要素２０は、別個に、又は組み合わせて、保持装置１８から解放することができる。特に、保持装置１８は、楽器の運搬中、楽器上に残すこともできる。
【０１２０】
アーム２２は、上から開口８２内へ挿入することができる。このことは、アーム２２及び保持装置１８の組立て又は分解を容易なものにする。これによって、例えば、楽器上へのかき傷又は同様のものが実質回避される。
【０１２１】
肩サポート１６の大部分、特に保持装置１８及びアーム２２は、プラスチック材料から製造することができる。このことにより、肩サポート１６を小質量で製造することができる。結果として、楽器の音が受ける影響が最小限になる。
【０１２２】
回転防止装置の１実施形態において、回転可能要素１９６としての環状要素が設けられる。この回転防止装置は、図１０（ａ）〜図１１（ｂ）で概略的に示し、そこで符号１９４で表すものである。この環状要素１９６は突片１９８を有する。回転可能要素１９６は例えば保持板２４の一方の側に配置される。保持板２４内には溝２００が形成される。突片１９８がこの溝２００を通して挿入され、例えば保持板２４の他方の側から環状要素１９６の作動が可能である。
【０１２３】
回転可能要素１９６の環状要素２０２は離間条片２０４を有する。溝１５０の１つの端部１５６の前方に、対応する条片２０４を位置決めして、回転防止装置を設けることができる。
【０１２４】
図１０（ａ）及び図１０（ｂ）は、固定要素１２６を開口８２内に挿入することのできる解放位置を示す。図１１（ａ）及び図１１（ｂ）には、条片２０４が条片８４ａ、８４ｂ、８４ｃの、溝１５０からの除去を阻止する阻止位置１８２を示す。ここで、条片２０４は、溝１５０内に部分的に挿入することもできる。
【０１２５】
アーム２２上で肩当接要素２０を回転防止用に固定するためにも、対応する解決策を使用することができる。
【０１２６】
更なる実施形態において、ただしこの実施形態は、図１２（ａ）及び図１２（ｂ）において概略的に示すものであるが、固定要素２０６が設けられる。固定要素２０６は、螺旋形に設計された条片２１０が開口８２にて侵入することのできる螺旋形の溝路２０８を有する。結果として、浮き上がり防止機構を実現化することができる。対応する回転防止装置１８２によって、回転に対する固定位置が固締される。
【０１２７】
図１３〜図１５に示すように、保持装置１８によって楽器上で顎ホルダ２１２が固定されることも可能である。その際、特に、楽器の共鳴胴１０が、顎ホルダ２１２の顎サポート２１４と保持装置１８との間で締め付けられる。この場合、顎サポート２１４は楽器の上面１４を向く。１実施形態において、ただしこの実施形態は、図１３において概略的に示すものであるが、保持装置１８は、締付要素４０ａに対応する締付要素によって共鳴胴１０上で締め付けられる。更に、保持装置は、顎ホルダ２１２の締付要素２１６によって共鳴胴１０上で固定される。顎ホルダ２１４は、更なる締付要素２１８によって、保持装置１８とは無関係に共鳴胴に固定される。
【０１２８】
図１４に示す実施形態において、対応する顎ホルダ２１２’は、対応する締付要素２２０、２２２によって、保持装置１８上に直接着座する。その際、顎ホルダ２１２’の、対応する顎サポート２１４と、保持装置１８とが締付要素を形成する。この締付要素は、共鳴胴１０上での締め付けを確実にする。
【０１２９】
図１５に示す実施形態において、顎ホルダ２１２”は、締付要素２２０、２２２によって保持装置１８上で保持され、締付要素２１８に対応する付加的な締付要素によって、共鳴胴１０と共に再度締め付けられる。
【０１３０】
締付要素にとって、明確に参照されるEP 1 067 508 A2に記載されるような解決策が実現されると有利である。この締付要素はここでは顎ホルダ２１２、２１２’、２１２”上で係合する。対応する顎サポート２１４が締付要素用の挿入案内部を有し、この挿入案内部は、挿入方向が締付方向に対して斜めになるように配置され構成される。結果として、締付要素を実現化することができる。この締付要素は、演奏家の肌に接触し得る側に金属部分を持たない。EP 1 067 508 A2を参照する。
【０１３１】
本発明に係る肩サポートの更なる実施形態は、ただしこの実施形態は、図１６〜図２２に示し、そこで符号４００で表すものであるが、保持装置を含む。この保持装置は基本的に、上述の保持装置１８と同じにして構成される。同じ要素には同じ参照符号を使用する。アーム４０２が、第１継手装置１１６に対応する継手装置によって保持装置１８上で保持される。アーム４０２上では肩当接要素４０４が、第２継手装置１２０に対応する第２継手装置によって保持される。
【０１３２】
アーム４０２に、調節要素４０６が配置される。この目的で、アーム４０２上に、対応する案内部４０８が形成される。案内部４０８は、特に、アーム４０２内に凹部４１０によって形成される。凹部４１０、従って案内部４０８は、相応に曲げられる。
【０１３３】
調節要素４０６は、案内部４０８内で変位可能であり、特に線形に変位可能である。案内部４０８における対応する変位位置は、力ロック式接続により固定される。
【０１３４】
調節要素４０６は保持装置１８用の当接領域４１２を有する。当接領域４１２は、アーム４０２を越えて当接要素１８の方向に突出する。当接領域４１２は保持装置１８に接触することができる。案内部４０８の調節要素４０６の摺動位置により、当接領域４１２がどの高さでアーム４０２を越えて突出するかが決まる。
【０１３５】
案内部４０８の調節要素４０６の、対応する位置決めにより、アーム４０２の、保持装置１８に対する設定角度に「印を付ける」ことができる。肩サポート４００がアーム４０２、肩当接要素４０４、及び保持装置１８に分解される場合、肩サポート４００を組み立てる際、組立て中に、アーム４０２と保持装置１８との間で調節要素４０６を位置決めすることによって一回印を付けられた設定角度に、迅速かつ容易に到達することができる。
【０１３６】
調節要素４０６は、アーム４０２と保持装置１８との間の設定角度をそれによって予め選択することのできるラッチの種類である。
【０１３７】
特に、調節要素４０６及び案内部４０８は、楽器上のパッドの高さが、アームと保持装置１８との間の設定角度と無関係であるように構成される。
【０１３８】
肩当接要素４０４は、アーム接続部４１４、パッドホルダ４１６、及びパッド４１８を含む。パッドホルダ４１６は、アーム接続部４１４上で保持されるものであり、パッド４１８は、パッドホルダ４１６上で保持される。
【０１３９】
アーム接続部４１４は中央部４２０を含む。中央部４２０は、第２継手装置１２０によってアーム４０２に、連結式かつ解放可能なやり方で接続される。この目的で、中央部４２０内に、対応する継手ソケット４２２が形成される。中央部４２０は、広がり方向４２４を有する。広がり方向４２４に対する継手ソケット４２２の一方の側に、連続した第１凹部４２６ａが形成される。この第１の側に（広がり方向４２４において）対向する第２の側に連続した第２凹部４２６ｂが形成される。
【０１４０】
中央部４２０は、第１端部４２８ａと、広がり方向において対向する第２端部４２８ｂとを有する。
【０１４１】
中央部４２２上で第１端部４２８ａの領域に、第１ロッカ４３０が着座する。このロッカ４３０は、中央部４２０上で、移動可能に保持され、少なくともほぼ、軸４３２の周りで枢動可能である。軸４３２は、広がり方向４２４に対して交差方向に、そして特に垂直に位置する。第１ロッカ４３０は、第１舌片４３４及び第２舌片４３６を有する。第１舌片４３４と第２舌片４３６とは、中間空間を備えて離間する。第１ロッカ４３０は、第１端部４２８ａの領域において、この中間空間を経由して中央部４２０へと押さえつけられる。
【０１４２】
第１舌片上に、第１継手ヘッド４３８が着座する。ここで、前記継手ヘッドは、第１舌片４３４の、対応する表面に対して交差方向に突出し、第１凹部４２６ａを通して挿入される。中央部４２０は、保持装置１８を向く下側４４０、及びパッド４１８を向く上側４４２を有する。第１舌片４３４は、下側４４０を向き、特に、この下側に触れつつ位置決めされる。第１継手ヘッド４３８は、凹部４２６を通って上側４４２から突出する。第２舌片４３６は、上側４４２に位置決めされ、特に、この上側に触れる。
【０１４３】
第１舌片４３４及び第２舌片４３６は、ロッカ４３０の共通のホルダ４４４上で保持され、特に、一体にして保持される。ここで、ホルダ４４４は、第１端部４２８ａの前方に位置する。
【０１４４】
第１継手ヘッド４３８から離間するホルダ４４４上に、第２継手ヘッド４４６が配置される。
【０１４５】
第１ロッカ４３０は、特に、一体にして形成される。第２舌片４３６上に当接要素４４８が形成され、この当接要素が上側４４２に接して、軸４３２の周りでの移動可能な装着、特に枢動可能な装着が可能になる。
【０１４６】
中央部４２０で第２端部４２８の領域に、第２ロッカ４３２が配置される。第２ロッカ４３２は基本的に、第１ロッカ４３０と同じにして構成される。第２ロッカ４５０は第３継手ヘッド４５２を含み、第２継手ヘッド４４６のカウンタ部品としての第４継手ヘッド４５４を更に含む。第３継手ヘッド４５２は第１継手ヘッド４３８のカウンタ部品である。
【０１４７】
継手ヘッド４３８、４４６、４５２、４５４によってパッドホルダ継手装置４５６が形成される。
【０１４８】
継手ヘッド４３８、４４６、４５２、４５４は、特に、ボールヘッドとして構成される。
【０１４９】
パッドホルダ４１６は、アーム接続部４１４上でパッドホルダ継手装置４５６によって移動可能に保持される。この目的で、パッドホルダ４１６は、第１継手ヘッド４３８用に第１受容体４６０（継手ソケット）を備えた第１受容要素４５８を含む。パッドホルダ４１６は更に、第２継手ヘッド４４６用に第２受容体４６４を備えた第２受容要素４６２を含む。パッドホルダは更に、第３受容体４６８を備えた第３受容要素４６６を含む。更に、パッドホルダは、第４受容体４７２を備えた第４受容要素４７０を有する。第３受容体４６８は、第３継手ヘッド４５２を受容するように使用され、第４受容体４７２は、第４継手ヘッド４５４を受容するように使用される。
【０１５０】
１実施形態において、受容要素４５８、４６２、４６６、４７０は、円形のディスクにより形成される。それぞれの受容要素４５８等内の受容体４６０等は、球形表面を備えた、対応する凹部４７４により形成される。凹部４７４は、例えば、溝４７６の交差領域に位置する。
【０１５１】
隣接した受容要素（受容要素４５８及び４６２、受容要素４６２及び４６６、受容要素４６６及び４７０）は、それぞれのウェブ機能部４７８により互いに接続される。この場合のウェブ機能部４７８は、対応する受容要素（例えば４５８及び４６２）よりも小さい幅を有する、少なくとも１つのウェブ４８０を含む。ウェブ４８０は、隣接した受容要素（例えば４５８及び４６２）に接続する。ウェブ機能部４７８により、隣接した受容要素（例えば４５８及び４６２）の（設定可能な）可動性が許容されるため、それぞれの受容要素４５８上のそれぞれの継手（継手ヘッド及び関連する受容体により形成されるもの）上では、個々の位置が設定可能に調節可能であり、対応するウェブ機能部４７８により、それぞれの個々の位置の調節及び固定が可能になる。
【０１５２】
図示する実施形態において、ウェブ機能部４７８はそれ自体円形であり、弓形のウェブ要素４８０’及び４８０”を含む。
【０１５３】
受容要素４５８、４６２、４６６、４７０を備えたパッドホルダ４１６は、特に、一体にして形成される。ウェブ要素４８０’及び４８０”は互いから離間する。これらのウェブ要素は、特に、少なくともほぼ、対応する凹部４５８等と同じ高さを有する。
【０１５４】
パッド４１８はパッドホルダ４１６に固定される。１実施形態において、対応する継手ヘッド４３８等に、いずれの場合もねじ等の固着要素をその中へ挿入し固定することのできる、例えばねじ山の付いた凹部等の固着点４８２が設けられる。パッド４１８はこの固着点によって固定可能である。これによって、１実施形態において、パッドホルダ４１６も継手ヘッド４３８等に固定され、従ってアーム接続部４１６に固定される。
【０１５５】
パッドホルダ４１６は、パッド４１８用の、可撓性のパッド受容体を形成し、ロッカ４３０及び４５０が移動可能に装着されるおかげで、及び、パッドホルダ継手装置４５６のおかげで、パッド４１８がそれに当接するパッド受容面４８４を規定の形状にもたらすことができる。この形状は、特に、演奏家の体輪郭に適合する。相応じてパッド４１８に及ぼされる圧力は、エリア全体にわたって配分することができる。パッド４１８が一方の側へ逸出することはできず、支持機能が保たれる。
【０１５６】
パッド４１８自体は、パッドホルダ継手装置４５６及びロッカ４３０、４５０に係る装着のため、本質的に捻回し傾斜することができる。
【０１５７】
その他の点では、肩サポート４００は、例えば肩サポート１６を参照して上述したように機能する。
【符号の説明】
【０１５８】
１０  共鳴胴
１２  底面
１４  上面
１６  肩サポート
１８  保持装置
２０  肩当接要素
２２  アーム
２４  保持板
２６  下側
２８  上側
３０ａ  第１フランジ
３０ｂ  第２フランジ
３２  案内チャネル
３４  ねじ
３６  出入口
３８  ねじヘッド
４０ａ  第１締付要素
４０ｂ  第２締付要素
４２  最下部
４４  パッド
４６  カウンタ要素
４８  雌ねじ
５０  雄ねじ
５２  要素
５４  当接領域
５６  要素
５８  受容領域
６０  軸
６２  当接領域
６４  締付方向
６６  パッド
６８  橋絡部
７０  要素
７２  膨出部
７４  ウェブ
７６  アンダカット領域
７８ａ  開口
７８ｂ  開口
８０  限定面
８２  開口
８４ａ  条片
８４ｂ  条片
８４ｃ  条片
８６  パッドホルダ
８８  パッド
９０  第１限定輪郭
９２  第２限定輪郭
９４  受容空間
９６  底面要素
９８  縁壁
１００  下側
１０２  上側
１０４  開口
１０６  条片
１０８  凹部
１１０  下側
１１２  上側
１１４  第１端部
１１６  第１継手装置
１１８  第２端部
１２０  第２継手装置
１２２  継手ソケット
１２４  継手本体
１２６  固定要素
１２８、１２８’  ねじ
１３０、１３０’  接触ヘッド
１３２  開口
１３４、１３４’  ナット
１３６、１３６’  接触ヘッド
１３８  フランジ
１４０  開口
１４２  締付装置／固定装置
１４４  接続領域
１４６  環状要素
１４８  当接面
１５０  溝
１５２  壁
１５４  端部
１５６  端部
１５８  浮き上がり防止機構
１６０  止め
１６２  回転防止装置
１６４、１６４’  回転可能要素
１６６、１６６’  開口
１６８  シャフト
１７０ａ  要素
１７０ｂ  要素
１７２  回転軸
１７４、１７４’  作動要素
１７６  阻止ヘッド
１７８  解放位置
１８０  阻止面
１８２  阻止位置
１８４  継手本体
１８６  固定要素
１８８  継手ソケット
１９０  締付装置/固定装置
１９２  接続領域
１９４  回転防止装置
１９６  回転可能要素
１９８  突片
２００  溝
２０２  環状要素
２０４  条片
２０６  固定要素
２０８  溝路
２１０  条片
２１２、２１２’、２１２”  顎ホルダ
２１４  顎サポート
２１６  締付要素
２１８  締付要素
２２０  締付要素
２２２  締付要素
４００  肩サポート
４０２  アーム
４０４  肩当接要素
４０６  調節要素
４０８  案内
４１０  凹部
４１２  当接領域
４１４  アーム接続部
４１６  パッドホルダ
４１８  パッド
４２０  中央部
４２２  継手ソケット
４２４  広がり方向
４２６ａ  第１凹部
４２６ｂ  第２凹部
４２８ａ  第１端部
４２８ｂ  第２端部
４３０  第１ロッカ
４３２  軸
４３４  第１舌片
４３６  第２舌片
４３８  第１継手ヘッド
４４０  下側
４４２  上側
４４４  ホルダ
４４６  第２継手ヘッド
４４８  当接要素
４５０  第２ロッカ
４５２  第３継手ヘッド
４５４  第４継手ヘッド
４５６  パッドホルダ継手装置
４５８  第１受容要素
４６０  第１受容体
４６２  第２受容要素
４６４  第２受容体
４６６  第３受容要素
４６８  第３受容体
４７０  第４受容要素
４７２  第４受容体
４７４  凹部
４７６  溝
４７８  ウェブ機能部
４８０  ウェブ要素
４８０’、４８０”  ウェブ要素
４８２  固着点
４８４  パッド受容面
【図１】
0005923516.tif 000002
【図２】
0005923516.tif 000003
【図３】
0005923516.tif 000004
【図４】
0005923516.tif 000005
【図５】
0005923516.tif 000006
【図６】
0005923516.tif 000007
【図７】
0005923516.tif 000008
【図８（ａ）】
0005923516.tif 000009
【図８（ｂ）】
0005923516.tif 000010
【図９（ａ）】
0005923516.tif 000011
【図９（ｂ）】
0005923516.tif 000012
【図１０（ａ）】
0005923516.tif 000013
【図１０（ｂ）】
0005923516.tif 000014
【図１１（ａ）】
0005923516.tif 000015
【図１１（ｂ）】
0005923516.tif 000016
【図１２（ａ）】
0005923516.tif 000017
【図１２（ｂ）】
0005923516.tif 000018
【図１３】
0005923516.tif 000019
【図１４】
0005923516.tif 000020
【図１５】
0005923516.tif 000021
【図１６】
0005923516.tif 000022
【図１７】
0005923516.tif 000023
【図１８】
0005923516.tif 000024
【図１９】
0005923516.tif 000025
【図２０】
0005923516.tif 000026
【図２１】
0005923516.tif 000027
【図２２】
0005923516.tif 000028